(57)【要約】【課題】分解輸送変圧器における鉄心の輸送時に、本体タンクの下部タンク上に取り付けられる輸送用カバーの小型、軽量化を図る。【解決手段】本体タンクの下部タンク１は、輸送用タンクとして共用され、分解された鉄心のうち、鉄心主脚２ａと、鉄心側脚２ｂ，２ｃと、これらを結合する下部ヨーク２ｄとを備えた分解鉄心２を固定する。下部タンク１には、分解鉄心２を覆うように輸送用カバー４が取り付けられる。輸送用カバー４は、分解鉄心２を包囲する部分の水平方向の外形寸法が下部タンク１における分解鉄心を包囲する部分の水平方向の外形寸法よりも小さい。【選択図】図１
2008117894.tif 000002
【特許請求の範囲】
【請求項１】
分解された鉄心のうち、少なくとも１個の鉄心主脚と、少なくとも１個の鉄心側脚と、これら鉄心主脚および鉄心側脚を結合する下部ヨークの部分とを組み立てた状態で固定する本体タンクの下部タンクと、
前記下部タンクに固定された鉄心部分を覆うように前記下部タンク上に取り付けられ、前記鉄心部分を包囲する部分の水平方向の外形寸法が前記下部タンクの前記鉄心部分を包囲する部分の水平方向の外形寸法よりも小さく構成された輸送用カバーと、
を有することを特徴とする分解輸送変圧器の鉄心輸送装置。
【請求項２】
前記輸送用カバーを、前記鉄心主脚および鉄心側脚を個々に覆う複数個により構成したことを特徴とする請求項１に記載の分解輸送変圧器の鉄心輸送装置。
【請求項３】
前記輸送用カバーを、前記鉄心主脚または鉄心側脚の断面形状に合わせて、ある曲率を持った円筒形または部分円筒形に構成したことを特徴とする請求項１または請求項２に記載の分解輸送変圧器の鉄心輸送装置。
【請求項４】
前記本体タンクの下部タンクにおける水平方向の外形寸法を、前記本体タンクの上部タンクにおける水平方向の外形寸法よりも小さく構成したことを特徴とする請求項１ないし請求項３のいずれか一項に記載の分解輸送変圧器の鉄心輸送装置。
【請求項５】
前記輸送用カバーの内面と前記鉄心主脚および鉄心側脚との間に配置されてその間隔を保持する間隔片をさらに有することを特徴とする請求項１ないし請求項４のいずれか一項に記載の分解輸送変圧器の鉄心輸送装置。
【請求項６】
上部タンクと下部タンクとから構成された本体タンクと、この本体タンク内に収容される鉄心および巻線を有する変圧器を仮に組み立て、
前記仮組み立ての後に前記上部タンクを外し、
前記上部タンクを外した後に前記鉄心の上部ヨークおよび巻線を外し、
前記上部ヨークおよび巻線を外した前記鉄心の部分を覆うように前記下部タンクの上に輸送用カバーを取り付け、
輸送用カバーを取り付けた状態で前記下部タンクおよび前記鉄心の部分を輸送する分解輸送変圧器における鉄心輸送方法において、
前記輸送用カバーは、前記鉄心の部分を包囲する部分の水平方向の外形寸法が前記下部タンクにおける前記分解鉄心を包囲する部分の水平方向の外形寸法よりも小さく構成されていること、を特徴とする分解輸送変圧器における鉄心輸送方法。
【発明の詳細な説明】
【技術分野】
【０００１】
本発明は、工場試験が完了した後に分解されて輸送される分解輸送変圧器の鉄心輸送装置およびその輸送方法に関する。
【背景技術】
【０００２】
近年、電力需要の増大に伴い、送電系統も高電圧化するとともに送変電用に使用される変圧器も大容量化し、これに伴い変圧器の大形化、重量増大化が進んでいる。
【０００３】
一方、変圧器が設置される変電所は、山間地や都心部地下などの輸送条件がきわめて厳しい場所に設けられる場合が増加しており、このような場所に設置する変圧器においては、その輸送寸法と重量を大幅に低減することが必要になってくる。
【０００４】
従来、輸送制限が厳しい場所に設置する変圧器については、例えば三相変圧器の場合は、３台の単相変圧器で構成してそれぞれ別個に輸送し、現地で組み合わせ接続して三相変圧器を構成する分割輸送方式が採用されていたが、道路や橋梁などの使用における輸送上の制約がさらに厳しい場合には、変圧器を分解輸送する方式が採用されるようになってきている。
【０００５】
この分解輸送方式の変圧器は、例えば特許文献１に記載されているように、変圧器の工場試験が完了した後、変圧器を本体タンク、鉄心およびコイル等に分解して現地に輸送し、現地において、再度、鉄心にコイルを組み込んで本体タンク内に収納する等の組立作業を行なうことにより組み立てられるものである。
【０００６】
このような分解輸送変圧器においては、分解した構成部品をそれぞれ輸送用タンクに収納して輸送する方法が一般的であるが、輸送用タンクはその後廃棄物として処分されることが多いことや、輸送用タンクが多くなると輸送用タンクから構成部品を取り出して再組み立てする工程も多くなるという問題があった。
【０００７】
そこで特許文献１に記載されているように、本体タンクの下部タンクを輸送用タンクとして共用することにより、輸送用タンクを製作する費用や組み立て工程の削減を図ることが提案されている。
【特許文献１】特開平６−１９６３４３号公報
【発明の開示】
【発明が解決しようとする課題】
【０００８】
しかしながら、上記のように本体タンクの下部タンクを輸送用タンクとして共用しても、その下部タンク上には、鉄心を覆うように輸送用カバーを取り付ける必要があり、この輸送用カバーが大型になっていて、その製作に多大な費用を要したり、輸送時の重量を十分に低減できなかったりするという問題があった。
【０００９】
本発明は、上述のような従来技術の問題を解決するためになされたもので、分解輸送変圧器における鉄心の輸送時に、本体タンクの下部タンク上に取り付けられる輸送用カバーの小型、軽量化を図り、変圧器輸送の効率化を図ることを目的とするものである。
【課題を解決するための手段】
【００１０】
上記目的を達成するために、この発明に係る分解輸送変圧器の鉄心輸送装置は、分解された鉄心のうち、少なくとも１個の鉄心主脚と、少なくとも１個の鉄心側脚と、これら鉄心主脚および鉄心側脚を結合する下部ヨークの部分とを組み立てた状態で固定する本体タンクの下部タンクと、前記下部タンクに固定された鉄心部分を覆うように前記下部タンク上に取り付けられ、前記鉄心部分を包囲する部分の水平方向の外形寸法が前記下部タンクの前記鉄心部分を包囲する部分の水平方向の外形寸法よりも小さく構成された輸送用カバーと、を有することを特徴とする。
【００１１】
また、この発明に係る分解輸送変圧器における鉄心輸送方法は、上部タンクと下部タンクとから構成された本体タンクと、この本体タンク内に収容される鉄心および巻線を有する変圧器を仮に組み立て、前記仮組み立ての後に前記上部タンクを外し、前記上部タンクを外した後に前記鉄心の上部ヨークおよび巻線を外し、前記上部ヨークおよび巻線を外した前記鉄心の部分を覆うように前記下部タンクの上に輸送用カバーを取り付け、輸送用カバーを取り付けた状態で前記下部タンクおよび前記鉄心の部分を輸送する分解輸送変圧器における鉄心輸送方法において、前記輸送用カバーは、前記鉄心の部分を包囲する部分の水平方向の外形寸法が前記下部タンクにおける前記分解鉄心を包囲する部分の水平方向の外形寸法よりも小さく構成されていること、を特徴とする。
【発明の効果】
【００１２】
本発明によれば、分解輸送変圧器における鉄心の輸送時に、本体タンクの下部タンク上に取り付けられる輸送用カバーの小型、軽量化が可能であり、変圧器輸送の効率化が実現できる。
【発明を実施するための最良の形態】
【００１３】
以下、本発明に係る分割輸送変圧器における鉄心の輸送装置について図面を参照して説明する。ここで、互いに同一または類似の部分には共通の符号を付して重複説明は省略する。
【００１４】
図１は本発明に係る分割輸送変圧器における鉄心の輸送装置の第１の実施形態を示す正面図であり、図２はその側面断面図である。図１および図２において、分解輸送変圧器は、工場試験が完了した後、本体タンク、鉄心、コイル等に分解されて現地に輸送される。本体タンクは、分割可能な上部タンクと下部タンクで構成されており、そのうち下部タンク１が輸送用タンクとして共用される。下部タンク１内には、分解鉄心２が固定される。分解鉄心２は、本実施形態における単相３脚鉄心の場合、上部ヨークを取り外した状態の１個の鉄心主脚２ａと、２個の鉄心側脚２ｂ，２ｃと、これら鉄心主脚２ａおよび鉄心側脚２ｂ，２ｃを磁気的に結合する下部ヨーク２ｄを備えており、この分解鉄心２を積層方向両側にクランプ３ａ，３ｂで締め付けて構成されている。
【００１５】
下部タンク１上には、この分解鉄心２を覆うように輸送用カバー４が取り付けられている。この輸送用カバー４は、真空引き等の処理に使用されないので、耐真空等の機械的強度を必要としない簡易な構造で構成されており、しかも図２に示すように、分解鉄心２を包囲する部分の積層方向（水平方向短辺側）の外形寸法Ｗ１が下部タンク１における分解鉄心２を包囲する部分の水平方向の外形寸法Ｗ２よりも小さく構成されている。
【００１６】
またこの輸送用カバー４は、本実施形態の分解輸送変圧器では、タップ切換器５が分解されて別輸送されるので、図１に示すように、輸送用カバー４における分解鉄心２を包囲する部分の水平方向長辺側の外形寸法Ｗ３が下部タンク１における分解鉄心２を包囲する部分の水平方向の外形寸法Ｗ４よりも、タップ切換器５の収納スペ−ス分、小さく構成されている。
【００１７】
なお、輸送条件を勘案し、必要に応じて分解鉄心２の倒れを防止するために、分解鉄心２の上部には、鉄心主脚２ａおよび鉄心側脚２ｂ，２ｃの上端部を連結するクランプ６ａ，６ｂを積層方向両側に設けて輸送用カバー４に固定することができる。
【００１８】
このような輸送用カバー４を用いることにより、輸送用カバー４の小型、軽量化が可能となり、本体タンクの下部タンク１を共用することと相俟って、輸送装置の製作コストおよび重量の低減および産業廃棄物の削減を図ることができる。
【００１９】
図３は、本発明に係る分割輸送変圧器における鉄心の輸送装置の第２の実施形態を示す正面図である。図３において、本実施形態が第１の実施形態と異なる点は、輸送用カバー７ａ，７ｂ，７ｃを、鉄心主脚２ａおよび鉄心側脚２ｂ，２ｃを個々に覆う複数個により構成したところにある。
【００２０】
本実施形態に係る単相３脚鉄心は、１個の主脚鉄心２ａおよび２個の側脚鉄心２ｂ，２ｃを有しており、これら主脚鉄心２ａおよび２個の側脚鉄心２ｂ，２ｃをそれぞれ独立した輸送用カバー７ａ，７ｂ，７ｃにより覆って下部タンク１に取り付けている。個別に設けられた輸送用カバー７ａ，７ｂ，７ｃを、概ね各鉄心脚の外接円に相似する円筒形に構成することにより、さらに輸送用カバー７ａ，７ｂ，７ｃの小型、軽量化を図ることができる。
【００２１】
また輸送用カバー７ａ，７ｂ，７ｃをそれぞれ円筒形に構成することにより、カバー自身の機械的強度が向上するので、この各輸送用カバー７ａ，７ｂ，７ｃで分解鉄心２全体の倒れを防止することができる。これにより第１の実施形態における固定用金具６ａ，６ｂを省略して輸送用カバー７ａ，７ｂ，７ｃの一層の小型、軽量化を図ることができる。
【００２２】
なお、輸送中に分解鉄心２が輸送用カバー７ａ，７ｂ，７ｃに接触して破損等が生じないようにするために、必要に応じて間隔片８を配置することができ、または間隔片８の代わりに油圧または空気圧で作動する固定冶具を配置することができる。
【００２３】
図４および図５は、本発明に係る分割輸送変圧器における鉄心の輸送装置の第３の実施形態を示し、図４はその平面断面図、図５はその正面図である。図４および図５において、本実施形態が第１の実施形態と異なる点は、三相５脚鉄心の場合において、輸送用カバー９ａ，９ｂ，９ｃを、１個の鉄心主脚２ｅまたは２ｆと１個の鉄心側脚２ｂまたは２ｃの組み合わせ全体の断面形状や１個の鉄心主脚２ａの断面形状に合わせて、ある曲率を持った円筒形または部分円筒形に構成したところにある。
【００２４】
三相５脚鉄心のように、隣合う鉄心主脚２ｅ，２ｆと鉄心側脚２ｂ，２ｃとの間隔が狭く、輸送用カバーとして円筒形のものを個々の鉄心脚に取り付けられない場合には、隣合う鉄心主脚２ｅまたは２ｆと鉄心側脚２ｂまたは２ｃを組み合わせ、その全体の断面形状に合わせて、輸送用カバー９ｂ，９ｃの断面形状を、例えばダルマ形のように、ある曲率を持たせた部分円筒に構成し、隣合う鉄心主脚２ｅまたは２ｆと鉄心側脚２ｂまたは２ｃを一括収納して下部タンク１に取り付けるようにする。中央部に位置する鉄心主脚２ａは、断面が略円形状であるので、この鉄心主脚２ａに対しては円筒形の輸送用カバー９ａが取り付けられる。このように構成しても、輸送用カバー９ａ，９ｂ，９ｃの機械的強度を維持向上して輸送用カバー９ａ，９ｂ，９ｃの小型、軽量化を図ることができる。
【００２５】
図６は、本発明に係る分割輸送変圧器における鉄心の輸送装置の第４の実施形態を示す側面図である。図６において、本実施形態が第１の実施形態と異なる点は、本体タンクの下部タンク１における水平方向の外形寸法を、本体タンクの上部タンク１０における水平方向の外形寸法よりも小さく構成したところにある。
【００２６】
本体タンクの下部タンク１は輸送用タンクとして共用されるが、この下部タンク１を鉄心の下部ヨ−ク２ｄ近傍で積層方向に絞り込むことによって、その水平方向の外形寸法Ｗ５が、本体タンクの上部タンク１０における水平方向の外形寸法Ｗ６よりも小さくなるように構成している。
【００２７】
分解鉄心の輸送時、絞り込みによって外形寸法Ｗ５を縮小した下部タンク１上には、この外形寸法Ｗ５よりも小さく構成された輸送用カバー（図示せず）が取り付けられることになる。そして現地において、輸送用カバーが取り外された下部タンク１の鉄心主脚２ａに、別途防湿フィルムによりパックされて輸送されたコイル１１が挿入され、上部ヨーク２ｇが嵌め込まれる等の中身組み立てが行われた後、上部タンク１０が被せられて変圧器が構成される。
【００２８】
このようにすれば、輸送用カバーの小型、軽量化とともに下部タンク１の小型、軽量化も図れることになる。
【図面の簡単な説明】
【００２９】
【図１】本発明に係る分割輸送変圧器における鉄心の輸送装置の第１の実施形態を示す正面図である。
【図２】本発明に係る分割輸送変圧器における鉄心の輸送装置の第１の実施形態を示す側面断面図である。
【図３】本発明に係る分割輸送変圧器における鉄心の輸送装置の第２の実施形態を示す正面図である。
【図４】本発明に係る分割輸送変圧器における鉄心の輸送装置の第３の実施形態を示す平面断面図である。
【図５】図４の分割輸送変圧器における鉄心の輸送装置の正面図である。
【図６】本発明に係る分割輸送変圧器における鉄心の輸送装置の第４の実施形態を示す側面図である。
【符号の説明】
【００３０】
１…下部タンク
２…分解鉄心
２ａ…鉄心主脚
２ｂ，２ｃ，２ｅ，２ｆ…鉄心側脚
２ｄ…下部ヨーク
２ｇ…上部ヨーク
３ａ，３ｂ，６ａ，６ｂ…クランプ
４，７ａ，７ｂ，７ｃ，９ａ，９ｂ，９ｃ…輸送用カバー
５…タップ切換器
８…間隔片
１０…上部タンク
１１…コイル
【図１】
2008117894.tif 000003
【図２】
2008117894.tif 000004
【図３】
2008117894.tif 000005
【図４】
2008117894.tif 000006
【図５】
2008117894.tif 000007
【図６】
2008117894.tif 000008